(57)【要約】    【課題】  機器筐体の内部にＬＣＤ装置を収容設置するとともに、機器筐体にＬＣＤ装置の表示面に臨む視認用開口を形成し、ＬＣＤ装置の表示面を覆いかつ視認用開口を閉塞する保護パネルの内方面に、振動素子を取付けて成るパネルスピーカ構造を備えた携帯端末を対象とし、落下等の衝撃による保護パネルの脱落を未然に防止しつつ、パネルスピーカ構造による音質を大幅に向上させ得る携帯端末の提供を目的としている。    【解決手段】  機器筐体の内部に収容設置されてＬＣＤ装置を実装する基板に、板金材料から形成されて保護パネルの周縁部に倣った枠形状を呈する支持フレームを設置し、該支持フレームにサスペンション部材を介して保護パネルを保持するとともに、機器筐体に保護パネルの外方面における周縁部を全周に亘って覆うフランジを形成している。    【選択図】  図３
2006352762.tif 000002
【特許請求の範囲】
【請求項１】
機器筐体の内部にＬＣＤ装置を収容設置するとともに、前記機器筐体に前記ＬＣＤ装置の表示面に臨む視認用開口を形成し、前記ＬＣＤ装置の表示面を覆いかつ前記視認用開口を閉塞する保護パネルの内方面に、振動素子を取付けて成るパネルスピーカ構造を備えた携帯端末において、
前記機器筐体の内部に収容設置されて前記ＬＣＤ装置を実装する基板に、板金材料から形成されて前記保護パネルの周縁部に倣った枠形状を呈する支持フレームを設置し、該支持フレームにサスペンション部材を介して前記保護パネルを保持するとともに、前記機器筐体に前記保護パネルの外方面における周縁部を全周に亘って覆うフランジを形成したことを特徴とする携帯端末。
【請求項２】
前記支持フレームと前記ＬＣＤ装置との間に、該ＬＣＤ装置の全周に亘ってダストシール部材を介装したことを特徴とする請求項１記載の携帯端末。
【請求項３】
前記機器筐体のフランジと前記保護パネルとの間に、該保護パネルの全周に亘ってクッション部材を介装したことを特徴とする請求項１記載の携帯端末。
【発明の詳細な説明】
【技術分野】
【０００１】
本発明は、機器筐体の内部にＬＣＤ装置を収容設置するとともに、機器筐体にＬＣＤ装置の表示面に臨む視認用開口を形成し、ＬＣＤ装置の表示面を覆いかつ視認用開口を閉塞する保護パネルの内方面に、振動素子を取付けて成るパネルスピーカ構造を備えた携帯端末に関するものである。
【背景技術】
【０００２】
例えば、携帯端末の一例である昨今の携帯電話機においては、各種情報を文字や画像によって使用者に通知するためのＬＣＤ(Liquid Crystal Display)装置を搭載するとともに、このＬＣＤ装置を覆う保護パネルにＤＭＡ(Distributed Mode Actuator)素子(振動素子)を取付けて成るパネルスピーカを搭載したものが提供されている。
【０００３】
図１０〜図１２に示した折畳み式の携帯電話機Ａは、ヒンジ部Ｂを介して相対的に回動自在に連結された下筐体Ｃと上筐体Ｄとを具備し、下筐体Ｃには送話部Ｃａおよび操作部Ｃｂ等が設けられている一方、上筐体Ｄには受話部Ｄａおよび液晶表示部Ｄｂ等が設けられている。
【０００４】
上内ケースＤｉと上外ケースＤｏとから成る上筐体Ｄの内部には、基板Ｅに実装されたＬＣＤ装置Ｆが収容設置されており、上筐体Ｄにおける上内ケースＤｉにはＬＣＤ装置Ｆの表示面Ｆａに臨む視認用開口Ｄｈが形成され、さらに上記上内ケースＤｉには、視認用開口Ｄｈを閉塞するとともにＬＣＤ装置Ｆの表示面Ｆａを覆う保護パネルＰが取り付けられている。
【０００５】
上記保護パネルＰの内方面Ｐｉには、圧電効果を用いた駆動素子であるＤＭＡ素子(振動素子)Ｑが装着され、これによってパネルスピーカが構成されており、該パネルスピーカの構成要素でもある保護パネルＰは、内方面Ｐｉにおける周縁部の全周を、サスペンションスポンジ(サスペンション部材)Ｓを介して上内ケースＤｉに取り付けられている。なお、上記サスペンションスポンジＳは、両面接着テープ等を用いて、上内ケースＤｉおよび保護パネルＰに取り付けられている。
【０００６】
また、上記保護パネルＰの内方面Ｐｉと、ＬＣＤ装置Ｆの表示面Ｆａとの間には、異物の侵入を防止するためのダストスポンジ(ダストシール部材)Ｔが、上記ＬＣＤ装置Ｆの全周に亘って介装されており、上記ダストスポンジＴは、両面接着テープ等を用いて、内方面Ｐｉと表示面Ｆａとに取り付けられている。
【０００７】
ここで、出願人の知っている上述の如き先行技術は、既に広く知られている公知・公用の技術であって、文献公知発明に係わるものではないので、特に記載するべき先行技術文献情報はない。
【発明の開示】
【発明が解決しようとする課題】
【０００８】
ところで、上述した構成の携帯電話機Ａにおいて、上筐体Ｄにおける液晶表示部Ｄｂの保護パネルＰは、上内ケースＤｉの視認用開口Ｄｈを覆うようにして、上内ケースＤｉの外側から取り付けられているため、落下時において衝撃力が作用した場合には、上内ケースＤｉから保護パネルＰが脱落する懸念がある。
【０００９】
そこで、例えば独立発泡のスポンジ材等から成る強度の大きなサスペンションスポンジＳを用いて、上内ケースＤｉに保護パネルＰを取り付けているのであるが、強度の大きいサスペンションスポンジＳは、反面、柔軟性に欠けていることは否めない。
【００１０】
一方、保護パネルＰとＤＭＡ素子Ｑとを備えて成るパネルスピーカは、上記ＤＭＡ素子Ｑの動作により保護パネルＰを振動させて音声を放出するものであるため、上内ケースＤｉに対して保護パネルＰを支持しているサスペンションスポンジＳが硬い場合、上記サスペンションスポンジＳによって保護パネルＰの振動が阻害され、パネルスピーカからの音質が大幅に低下してしまう問題があった。
【００１１】
本発明の目的は、上記実状に鑑みて、パネルスピーカ構造を搭載している携帯端末において、落下等の衝撃による保護パネルの脱落を未然に防止しつつ、上記パネルスピーカ構造による音質を大幅に向上させ得る携帯端末の提供を目的としている。
【課題を解決するための手段】
【００１２】
上記目的を達成するべく、請求項１の発明に関わる携帯端末は、機器筐体の内部にＬＣＤ装置を収容設置するとともに、機器筐体にＬＣＤ装置の表示面に臨む視認用開口を形成し、ＬＣＤ装置の表示面を覆いかつ視認用開口を閉塞する保護パネルの内方面に、振動素子を取付けて成るパネルスピーカ構造を備えた携帯端末において、機器筐体の内部に収容設置されてＬＣＤ装置を実装する基板に、板金材料から形成されて保護パネルの周縁部に倣った枠形状を呈する支持フレームを設置し、該支持フレームにサスペンション部材を介して保護パネルを保持するとともに、機器筐体に保護パネルの外方面における周縁部を全周に亘って覆うフランジを形成したことを特徴としている。
【００１３】
請求項２の発明に関わる携帯端末は、請求項１の発明に関わる携帯端末において、支持フレームとＬＣＤ装置との間に、該ＬＣＤ装置の全周に亘ってダストシール部材を介装したことを特徴としている。
【００１４】
請求項３の発明に関わる携帯端末は、請求項１の発明に関わる携帯端末において、機器筐体のフランジと保護パネルとの間に、該保護パネルの全周に亘ってクッション部材を介装したことを特徴としている。
【発明の効果】
【００１５】
請求項１の発明に関わる携帯端末によれば、機器筐体に収容設置された基板に設けた支持フレームに、サスペンション部材を介して保護パネルを保持したことと併せ、機器筐体に保護パネルの外方面における周縁部を全周に亘って覆うフランジを形成したことで、上記保護パネルは支持フレームと機器筐体とに挟まれて保持される格好となり、もって落下時等において衝撃力が作用した場合でも、上記保護パネルが機器筐体から脱落することを未然に防止できる。
【００１６】
また、上述した如く、機器筐体に収容設置された基板に設けた支持フレームに、サスペンション部材を介して保護パネルを保持したことと併せ、機器筐体に保護パネルの外方面における周縁部を全周に亘って覆うフランジを形成したことで、上記保護パネルが機器筐体から脱落することを未然に防止できるため、支持フレームに保護パネルを保持するためのサスペンション部材に、強度を考慮することなく柔軟なスポンジ材を採用することが可能となり、柔軟なサスペンション部材を採用することによって、該サスペンション部材が保護パネルＰの振動を妨げることが抑えられ、もってパネルスピーカからの音質を大幅に向上させることができる。
【００１７】
このように、請求項１の発明に関わる携帯端末においては、落下等の衝撃による保護パネルの脱落を未然に防止しつつ、パネルスピーカ構造による音質を大幅に向上させることが可能となる。
【００１８】
請求項２の発明に関わる携帯端末によれば、請求項１の発明に関わる携帯端末と同様、落下等の衝撃による保護パネルの脱落を未然に防止しつつ、パネルスピーカ構造による音質を大幅に向上させ得ることと併せ、支持フレームとＬＣＤ装置との間にダストシール部材を介装したことにより、上記ダストシール部材を保護パネルと接触させることなくＬＣＤ装置と保護パネルとの間を封止できるので、ダストシール部材が保護パネルＰの振動を妨げることなく、すなわちパネルスピーカ構造による音質の低下を招くことなく、ＬＣＤ装置と保護パネルとの間に異物が侵入することを防止できる。
【００１９】
請求項３の発明に関わる携帯端末によれば、請求項１の発明に関わる携帯端末と同様、落下等の衝撃による保護パネルの脱落を未然に防止しつつ、パネルスピーカ構造による音質を大幅に向上させ得ること併せ、機器筐体のフランジと保護パネルとの間にクッション部材を介装したことにより、振動する保護パネルが機器筐体のフランジと接触することに起因する異音の発生を未然に防止することができ、もってパネルスピーカ構造による音質を向上させることが可能となる。
【発明を実施するための最良の形態】
【００２０】
以下、実施例を示す図面に基づいて、本発明を詳細に説明する。  
図１〜図７は、携帯端末の一態様である折畳み式の携帯電話機に本発明を適用した実施例を示しており、この携帯電話機１は、図１に示す如くヒンジ部２を介して相対的に回動自在に連結された下筐体３と上筐体４とを具備し、下筐体３には送話部３ａおよび操作部３ｂ等が設けられている一方、上筐体４には受話部４ａおよび液晶表示部４ｂ等が設けられている。
【００２１】
図２〜図５に示す如く、互いに組み付けられた上内ケース４Ｉと上外ケース４Ｏとを有する上筐体４の内部には、各種の電子部品を実装した基板５が収容設置されているとともに、該基板５の上内ケース４Ｉと対向する実装面には、液晶表示部４ｂ(図１参照)を構成するＬＣＤ装置６が実装されている。
【００２２】
一方、上筐体４の上内ケース４Ｉには、上記ＬＣＤ装置６の表示面６ａに臨む視認用開口４ｏが形成されており、この視認用開口４ｏは、ＬＣＤ装置６の表示面６ａを覆う保護パネル７によって閉塞されている。
【００２３】
上記保護パネル７における内方面７ｉの端部には、圧電効果を用いた駆動素子であるＤＭＡ素子(振動素子)８が装着されており、これによって上記ＤＭＡ素子８の動作により保護パネル７を振動させて音声を放出するパネルスピーカが構成されている。
【００２４】
上筐体４に収容設置された基板５には、上記保護パネル７の周縁部に倣った枠形状を呈する支持フレーム９が、基板５に実装されているＬＣＤ装置５の周囲を囲う態様で取り付けられている。
【００２５】
上記支持フレーム９は、板金材料をプレス加工することにより形成され、保護パネル７の周縁部に倣った外枠部９ａを有するとともに、ＬＣＤ装置５の表示面５ａに臨む開口９ｏとＤＭＡ素子８の遊嵌する開口９ｐとを仕切る桟部９ｂを有している。
【００２６】
また、上記支持フレーム９には、パネルスピーカの構成要素でもある保護パネル７が、サスペンションスポンジ(サスペンション部材)１０を介して取り付けられている。
【００２７】
上記サスペンションスポンジ１０は、例えば連続発泡による柔軟なスポンジ材から形成され、上記支持フレーム９に対応した外枠部１０ａと桟部１０ｂとを有しており、上記支持フレーム９の外枠部９ａおよび桟部９ｂに、両面接着テープ(図示せず)等を用いて取り付けられているとともに、上記保護パネル７の内方面７ｉに、同じく両面接着テープ(図示せず)等を用いて取り付けられている。
【００２８】
また、支持フレーム９とＬＣＤ装置５との間には、異物の侵入による液晶表示部４ａ(図１参照)の汚損を防ぐ目的で、表示面５ａの全周に亘ってダストスポンジ(ダストシール部材)１１が介装されており、上記ダストスポンジ１１は、支持フレーム９および表示面５ａに、それぞれ両面接着テープ(図示せず)等を用いて取り付けられている。
【００２９】
一方、上筐体４の上内ケース４Ｉには、視認用開口４ｏを閉塞している保護パネル７の外方面７ｏ、詳しくは外方面７ｏにおける周縁部を全周に亘って覆うフランジ４ｆが形成されている。
【００３０】
さらに、上記フランジ４ｆと保護パネル７との間には、上記保護パネル７の全周に亘ってパネルスポンジ(クッション部材)１２が介装されており、上記パネルスポンジ１２は、上記フランジ４ｆおよび保護パネル７の外方面７ｏと、それぞれ両面接着テープ(図示せず)等を用いて取り付けられている。
【００３１】
因みに、図６および図７に示す如く、上筐体４は上内ケース４Ｉと、保護パネル７、サスペンションスポンジ１０、支持フレーム９およびダストスポンジ１１から成るパネルアセンブリ１５と、基板５およびＬＣＤ装置６を備えた基板アセンブリ１６と、上外ケース４Ｏとを互いに組み付けることで製造され、上筐体４の全体を組み立てた状態においては、基板アセンブリ１６に対してパネルアセンブリ１５が取り付けられ、支持フレーム９が基板５に対して固設されることとなる。
【００３２】
上述した構成の携帯電話機１によれば、上筐体４に収容設置された基板５に設けた支持フレーム９に、サスペンションスポンジ１０を介して保護パネル７を保持したことと併せ、上筐体４に保護パネル７の外方面７ｏにおける周縁部を全周に亘って覆うフランジ４ｆを形成したことで、上記保護パネル７は支持フレーム９と上筐体４のフランジ４ｆとに挟まれて保持される格好となり、もって落下時等において衝撃力が作用した場合でも、上記保護パネル７が上筐体４から脱落することを未然に防止できる。
【００３３】
また、上述した如く、保護パネル７が上筐体４から脱落することを未然に防止できるため、支持フレーム９に保護パネル７を保持するためのサスペンションスポンジ１０に、強度を考慮することなく柔軟なスポンジ材を採用することが可能となり、柔軟なサスペンションスポンジ１０を採用することによって、該サスペンションスポンジ１０が保護パネル７の振動を妨げることが抑えられ、もってパネルスピーカからの音質を大幅に向上させることができる。
【００３４】
また、上記構成の携帯電話機１によれば、支持フレーム９とＬＣＤ装置５との間に、ダストスポンジ１１を介装したことによって、上記ダストスポンジ１１を保護パネル７と接触させることなく、ＬＣＤ装置５と保護パネル７との間を封止できるので、ダストスポンジ１１が保護パネル７の振動を妨げることなく、すなわちパネルスピーカ構造による音質の低下を招くことなく、ＬＣＤ装置５と保護パネル７との間に異物が侵入することを防止できる。
【００３５】
さらに、上記構成の携帯電話機１によれば、上筐体４における上内ケース４Ｉのフランジ４ｆと保護パネル７との間に、クッション部材としてのパネルスポンジ１２を介装したことにより、振動する保護パネル７が上筐体４のフランジ４ｆと接触することに起因する異音の発生を未然に防止することができ、もってパネルスピーカ構造による音質を向上させることが可能となる。
【００３６】
ここで、支持フレーム９に保護パネル７を保持するためのサスペンションスポンジ１０を、可及的に柔軟なものとするには、材質の選択とともに幅を狭く形成することが得策であるが、固より柔軟なスポンジ材を幅狭に加工することは難しく、また取り扱いも煩雑なものとなってしまう問題がある。
【００３７】
そこで、図８(ａ)〜(ｃ)に示すサスペンションスポンジ１００は、幅方向の略中央部に形成したスリット１００ｓによって、サスペンション部１００Ａと余肉部１００Ｂとを区分し、サスペンションスポンジ１００の底面全体を支持フレーム９に取付ける一方、サスペンション部１００Ａのみを保護パネル７に取り付けている。
【００３８】
これにより、例えば全体の幅Ｗを比較的に幅広な約２ｍｍとしても、サスペンション部１００Ａの幅ｗは約１ｍｍの幅狭なものとなるので、サスペンション部１００Ａの柔軟性が大幅に向上するとともに、サスペンションスポンジ１００の全体は幅広であるために取り扱いが容易となる。
【００３９】
また、図８(ｄ)に示すサスペンションスポンジ(サスペンション部材)１００′は、幅方向の略中央部に形成したスリット１００ｓ′によって、サスペンション部１００Ａ′とクッション部１００Ｂ′とを区分するとともに、クッション部１００Ｂ′の高さを大きく設定している。
【００４０】
これにより、サスペンションスポンジ１００と同様の作用効果と併せて、クッション部１００Ｂ′がクッションスポンジとして作用するため、上記クッションスポンジが不用となることによって部品点数の削減が図れる。
【００４１】
図９に示すサスペンションスポンジ２００は、高さ方向の略中央部に形成したスリット２００ｓによって、サスペンション部１００Ａとクッション部２００Ｂとを区分し、上記スリット２００ｓに保護パネル７の周縁部を嵌め入れて取り付けるとともに、サスペンション部１００Ａを支持フレーム９に取付ける一方、クッション部２００Ｂを上内ケース４Ｉのフランジ４ｆに取り付けている。
【００４２】
これにより、サスペンションスポンジ２００のクッション部２００Ｂがクッションスポンジとして作用するため、上記クッションスポンジが不用となることによって部品点数の削減が図れる。
【００４３】
なお、上述した各実施例においては、本発明を携帯端末の一態様である折り畳め式の携帯電話機に適用した例を示したが、例えば電子辞書やＰＤＡ（パーソナル・データ・アシスタンス）等、ＬＣＤ装置の保護パネルを構成部品としたパネルスピーカを搭載した各種の携帯端末に対しても、本発明が極めて有効に適用し得るものであることは言うまでもない。
【図面の簡単な説明】
【００４４】
【図１】(ａ)および(ｂ)は、本発明に関わる携帯端末の一実施例である折畳み式の携帯電話機を示す正面図および側面図。
【図２】図１中の II−II 線断面図。
【図３】図１中の II−II 線断面を概念的に表現した断面図。
【図４】図１中の IV−IV 線断面図。
【図５】図１中の IV−IV 線断面を概念的に表現した断面図。
【図６】図１に示した携帯電話機における上筐体の分解斜視図。
【図７】図１に示した携帯電話機における保護パネルの周辺の分解斜視図。
【図８】サスペンション部材の変形例を示す概念図。
【図９】サスペンション部材の他の変形例を示す概念図。
【図１０】携帯端末の一例である従来の携帯電話機を示す外観斜視図。
【図１１】図１０中の XI−XI 線断面図。
【図１２】図１０中の XII−XII 線断面図。
【符号の説明】
【００４５】
１…携帯電話機（携帯端末）、
４…上筐体（機器筐体）、
４Ｉ…上内ケース、
４ｏ…視認用開口、
４ｆ…フランジ、
５…基板、
６…ＬＣＤ装置、
６ａ…表示面、
７…保護パネル、
７ｉ…内方面、
７ｏ…外方面、
８…ＤＭＡ素子(振動素子)、
９…支持フレーム、
１０…サスペンションスポンジ(サスペンション部材)、
１１…ＬＣＤスポンジ(ダストシール部材)、
１２…パネルスポンジ(クッション部材)、
１００、１００′、２００…サスペンションスポンジ(サスペンション部材)。
【図１】
2006352762.tif 000003
【図２】
2006352762.tif 000004
【図３】
2006352762.tif 000005
【図４】
2006352762.tif 000006
【図５】
2006352762.tif 000007
【図６】
2006352762.tif 000008
【図７】
2006352762.tif 000009
【図８】
2006352762.tif 000010
【図９】
2006352762.tif 000011
【図１０】
2006352762.tif 000012
【図１１】
2006352762.tif 000013
【図１２】
2006352762.tif 000014